(57)【要約】【課題】同一の画像を撮像したときに、画角、倍率の異なる２パターンの画像を同時に圧縮、記録することができる画像処理装置を提供する。【解決手段】撮像手段１と、拡大縮小手段２と、圧縮手段３と、記録手段４と、圧縮手段６と、入力手段７と、制御手段８を備え、入力手段７でユーザーより設定された任意の画角、倍率を用いて、同一の画像信号に対して画角、倍率の異なる２パターンの画像信号を作成し、圧縮、記録動作を行う。【選択図】図４
2007295454.tif 000002
【特許請求の範囲】
【請求項１】
撮像手段と、
前記撮像手段より得られた画像信号の画角又は／及び倍率を変更し、前記画像信号を拡大又は縮小する拡大縮小手段と、
前記拡大縮小手段より得られた画像信号及び前記撮像手段より得られた画像信号を圧縮する圧縮手段と、
前記圧縮手段より得たデータを記録する記録手段と、
を備えた画像処理装置。
【請求項２】
前記撮像手段で生成される画像信号の画角又は／及び前記拡大縮小手段で生成される画像信号の画角又は／及び倍率を入力するための入力手段を備え、
前記入力手段で入力された画角又は／及び倍率に従って、縮小拡大画像を生成し、前記縮小拡大画像と電気的に縮小拡大しない原画像とを並列に処理することを特徴とする請求項１に記載の画像処理装置。
【発明の詳細な説明】
【技術分野】
【０００１】
本発明は、撮像した画像信号を圧縮し、記録する画像処理装置に関し、特に、拡大、縮小処理を実施する画像処理装置に関するものである。
【背景技術】
【０００２】
近年、デジタルカメラなどの撮影機器が普及し、多種多様な用途で使用されている。撮影された画像も様々な用途で使用され、その用途に合った画角、倍率での撮影が容易に出来ることが望まれている。
【０００３】
以下、従来の画像処理装置について、図６および図７を用いて説明する。
【０００４】
図６は、従来の画像処理装置の構成を示すブロック図である。図６において、撮像手段１は、撮像を実施し、画像信号を任意のデータ形式に変換して出力するものである。拡大縮小回路２は、与えられた倍率、画角に従って画像信号を変更し、出力するものである。圧縮手段３は、入力された画像信号に圧縮処理を実施し、出力するものである。記録手段４は、与えられたデータを任意の記録装置に記録するものである。解凍手段５は、圧縮手段３で用いられた圧縮方法に従って解凍処理を実施するものである。
【０００５】
以上のように構成された画像処理装置の撮像動作を図６および図７を用いて説明する。図７は、従来の画像処理装置の撮像動作を説明するためのフローチャートである。
【０００６】
撮像が開始（Ｓ１）されると、撮像手段１は撮像された画像信号を任意のデータ形式に変換（Ｓ２）して、出力する。次に、拡大縮小手段２は与えられた倍率、画角に従って、撮像手段より入力された画像信号に拡大、縮小処理を実施して（Ｓ３）、出力する。圧縮手段３は、拡大縮小手段より入力された画像信号に圧縮処理を実施して、出力する（Ｓ４）。記録手段４は、圧縮手段より入力されたデータを任意の記録装置に記録する（Ｓ５）。以上の動作により、撮像された画像信号を任意の画角、倍率に変更し、圧縮し、記録する。
【特許文献１】特開２００２−１５２６４６号公報
【発明の開示】
【発明が解決しようとする課題】
【０００７】
しかしながら上記の従来の構成では、同一の画像信号に対して異なる画角、倍率で処理を実施した複数の画像信号を圧縮し、記録する際に長時間を要するという問題点を有する。以下、この問題点について説明する。
【０００８】
図６に示された従来の画像処理装置を用いて、同一の画像信号に対して異なる画角、倍率で処理を実施した複数の画像信号を圧縮し、記録する場合を検討する。撮像が開始されると、撮像手段は撮像された画像信号を任意のデータ形式に変換して、出力する。次に、拡大縮小手段は与えられた倍率、画角に従って、撮像手段より入力された画像信号に拡大、縮小処理を実施して、出力する。圧縮手段は、拡大縮小手段より入力された画像信号に圧縮処理を実施して、出力する。記録手段は、圧縮手段より入力されたデータを任意の記録装置に記録する。以上の動作により、撮像された画像信号を任意の画角、倍率に変更し、圧縮し、記録する。
【０００９】
次に、画像信号編集が開始されると、記録装置に記録されたデータを読み出し、解凍処理を実施する。解凍された画像信号を、拡大縮小手段に入力し、与えられた倍率、画角に従って画像信号に拡大、縮小処理を実施して出力する。圧縮手段は、拡大縮小手段より入力された画像信号に圧縮処理を実施して、出力する。記録手段は、圧縮手段より入力されたデータを任意の記録装置に記録する。
【００１０】
その結果、従来の画像処理装置では同一の画像信号に対して異なる画角、倍率で処理を実施した複数の画像信号を圧縮し、記録する際に長時間を要するという問題点を有していた。
【００１１】
本発明は上記従来の問題点を解決するもので、同一の画像信号に対して異なる画角、倍率で処理を実施した複数の画像信号を、同時に圧縮、記録することができる画像処理装置を提供することを目的とする。
【課題を解決するための手段】
【００１２】
この目的を達成するために本発明の画像処理装置は、撮像手段と、撮像手段より得られた画像信号の画角又は／及び倍率を変更し、画像信号を拡大又は縮小する拡大縮小手段と、拡大縮小手段より得られた画像信号及び撮像手段より得られた画像信号を圧縮する圧縮手段と、圧縮手段より得たデータを記録する記録手段と、を備える。
【００１３】
この構成によって、同一の画像に対して画角、倍率の異なる画像信号を並列で処理でき、処理時間を短縮した画像処理装置であり、画角、倍率をユーザーが任意に変更可能な画像処理装置ができる。
【発明の効果】
【００１４】
以上のように本発明は同一の画像を撮像したときに、画角又は／及び倍率の異なる２パターンの画像を同時に圧縮、記録することができる画像処理装置を提供できるという優れた効果が得られる。
【発明を実施するための最良の形態】
【００１５】
以下、本発明の実施の形態について、図１〜を用いて説明する。
【００１６】
（実施の形態１）
図１は本発明の実施の形態１における画像処理装置の構成を示すブロック図である。なお、図１において、従来と同一の構成要素には同一番号を付与し説明を省略する。
【００１７】
図１において、圧縮手段６は、拡大縮小回路２における拡大、縮小処理を実施しない画像信号、もしくは拡大縮小回路２において圧縮手段３へ出力する画像信号とは異なった倍率、画角で拡大、縮小処理を実施された画像信号に圧縮処理を実施する。
【００１８】
本発明の実施の形態１に係る画像処理装置の動作を図１および図２を用いて説明する。図２は、本発明の実施の形態１に係る画像処理装置の動作を示すフローチャートである。
【００１９】
撮像が開始（Ｓ１）されると、撮像手段１が撮像処理を開始し（Ｓ６）、設定された画角、倍率を用いて拡大縮小手段２が拡大、縮小処理を実施する（Ｓ７）。次に、異なる画角、倍率の画像信号に対して、圧縮手段３（Ｓ８）および圧縮手段６（Ｓ９）が圧縮処理を開始する。圧縮手段３および圧縮手段６から出力される画像信号を、記録手段４が記録装置に記録する（Ｓ１０）。
【００２０】
以上の動作の結果、同一の画像に対して、異なる画角、倍率で拡大、縮小処理を実行した２つの画像信号に、同時に圧縮、記録処理を行うことになる。
【００２１】
以上の図１に示す構成を有し、図２に示す動作をする本発明の実施の形態に係る画像処理装置を用いて、図３に示す画像を撮像した場合の動作を図１〜５を用いて説明する。
【００２２】
画像１の撮像を開始すると（Ｓ１）、撮像手段１は撮像された画像信号を任意のデータ形式に変換（Ｓ６）して、出力する。このとき画像１には、図３に示すように、画面全体を画像信号として処理し、画像２を作成するパターンと、画面の一部を切り出し、画像３を作成するパターンがある。
【００２３】
次に、拡大縮小手段２は、設定された画角、倍率に従って処理を実行する（Ｓ７）。拡大縮小手段２から、異なる画角、倍率の２パターンの画像信号が出力されると、圧縮手段３（Ｓ８）および圧縮手段６（Ｓ９）は、画像信号に対して圧縮処理を開始する。圧縮手段３および圧縮手段６から出力される画像信号を、記録手段４は記録装置に記録する（Ｓ１０）。
【００２４】
以上のように、ユーザーは本発明の実施の形態に係る画像処理装置を用いることにより、異なる画角、倍率の２パターンの画像を同時に、迅速に得ることが出来る。
【００２５】
以上のように、本発明の実施の形態１によれば、本発明の実施の形態１に係る画像処理装置は、拡大縮小手段２で生成された画角、倍率の異なる２パターンの画像信号を、圧縮手段３および圧縮手段６を用いて同じタイミングで圧縮処理を実施し、記録装置に記録する記録手段４を有するため、異なる画角、倍率の２パターンの画像を同時に、迅速に得ることが出来る。
【００２６】
（実施の形態２）
本発明の実施の形態１では、拡大縮小手段２と圧縮手段３、圧縮手段６を用いて異なる画角の２パターンの画像を撮像する。これに対して、実施の形態２では、さらに入力手段７と制御手段８を用いて画像を撮像する。これにより、実施の形態２に係る画像処理装置は、ユーザーが撮影中に任意に画角、倍率を変更し撮像することが出来る。
【００２７】
以下、本発明の実施の形態２における画像処理装置について、図４〜７を用いて説明する。図４は本発明の実施の形態２における画像処理装置の構成を示すブロック図である。なお、図４において、本発明の実施の形態１と同一の構成要素には同一番号を付与し説明を省略する。
【００２８】
図４において、入力手段７はユーザーが画角、倍率を設定するための入力装置である。制御手段８はユーザーが設定した画角、倍率を拡大縮小手段２に与え、処理の制御を行う制御回路である。
【００２９】
本発明の実施の形態２に係る画像処理装置の動作を図４及び図５を用いて説明する。図５は、本発明の実施の形態２に係る画像処理装置の動作を示すフローチャートである。なお、図５において、本発明の実施の形態２と同一のステップには同一番号を付与し説明を省略する。
【００３０】
本発明の実施の形態２に係る画像処理装置は、ステップＳ６まで実施の形態１と同様の動作をする。ステップＳ１１において、入力手段７はユーザーから入力された画角、倍率を出力する。制御手段８は入力手段７より得た画角、倍率を拡大縮小手段２へ出力し、制御する。そして、ステップＳ７からステップＳ１０においては、本発明の実施の形態２に係る画像処理装置は、実施の形態１と同様の動作をする。
【００３１】
以上の動作の結果、ユーザーが入力手段７を用いて画角、倍率を設定している場合（Ｓ１１）には、撮影中に記録する２パターンの画像の画角、倍率を自由変更できることになる。
【００３２】
以上の図４に示す構成を有し、図５に示す動作をする本発明の実施の形態２に係る画像処理装置を用いて、図３に示す画像１を撮像した場合の動作を図３〜図５を用いて説明する。
【００３３】
画像１の撮像を開始すると（Ｓ１）、撮像手段１は撮像された画像信号を任意のデータ形式に変換（Ｓ６）して、出力する。このとき画像１には、図３に示すように、画面全体を画像信号として処理し、画像２を作成するパターンと、画面の一部を切り出し、画像３を作成するパターンがある。
【００３４】
次に、入力手段７によって画角、倍率が入力され、制御手段８によって画角、倍率の設定が拡大縮小手段２に送られると（Ｓ１１）、拡大縮小手段２は、設定された画角、倍率に従って処理を実行する（Ｓ７）。拡大縮小手段２から、異なる画角、倍率の２パターンの画像信号が出力されると、圧縮手段３（Ｓ８）および圧縮手段６（Ｓ９）は、画像信号に対して圧縮処理を開始する。圧縮手段３および圧縮手段６から出力される画像信号を、記録手段４は記録装置に記録する（Ｓ１０）。
【００３５】
以上のように、ユーザーは本発明の実施の形態に係る画像処理装置を用いることにより、異なる画角、倍率の２パターンの画像を同時に、迅速に得ることが出来、２パターンの画像の画角、倍率を撮影中に変更することが出来る。
【００３６】
以上のように、本発明の実施の形態１によれば、本発明の実施の形態１に係る画像処理装置は、拡大縮小手段２で生成された画角、倍率の異なる２パターンの画像信号を、圧縮手段３および圧縮手段６を用いて同じタイミングで圧縮処理を実施し、記録装置に記録する記録手段４を有するため、異なる画角、倍率の２パターンの画像を同時に、迅速に得ることが出来る。
【産業上の利用可能性】
【００３７】
本発明は、撮像装置に適用可能である。より具体的には、デジタルスチルカメラ、ムービー、カメラ機能付き携帯電話端末等に適用できる。
【図面の簡単な説明】
【００３８】
【図１】本発明の実施の形態１の画像処理装置の構成を示すブロック図
【図２】本発明の実施の形態１の画像処理装置の構成を示すフローチャート
【図３】本発明の実施の形態１および本発明の実施の形態２を用いて撮像した場合の画像信号を示す図
【図４】本発明の実施の形態２の画像処理装置の構成を示すブロック図
【図５】本発明の実施の形態２の画像処理装置の構成を示すフローチャート
【図６】従来の画像処理装置の構成を示すブロック図
【図７】従来の画像処理装置の動作を示すフローチャート
【符号の説明】
【００３９】
１    撮像手段
２    拡大縮小手段
３、６    圧縮手段
４    記録手段
７    入力手段
８    制御手段
【図１】
2007295454.tif 000003
【図２】
2007295454.tif 000004
【図３】
2007295454.tif 000005
【図４】
2007295454.tif 000006
【図５】
2007295454.tif 000007
【図６】
2007295454.tif 000008
【図７】
2007295454.tif 000009